(57)【要約】      （修正有）【課題】１枚づつ取出し自在に絡め重ね畳みするティッシュペーパーを紅色と白色に色分けして祝事にも使えるようにしたティッシュペーパーを新規に提供する。【解決手段】紅色と白色に色分けしたティッシュペーパーを複数枚づつ交互に絡め重ね、または上下に色分け絡め重ね、または左右に色分け並べ、または山形に絡め重ねして１枚づつを取出し自在に箱詰め、または小型に平袋詰めしてポケットティッシュとしたことを特徴とする紅白色分けティッシュにある。ティッシュペーパーにキャラクター柄または鶴・亀・桜・梅などの慶事柄をプリントすることもある。【選択図】図１
0003143842.tif 000002
【実用新案登録請求の範囲】
【請求項１】
紅色と白色に色分けしたティッシュペーパーを複数枚づつ交互に絡め重ね、または上下に色分け絡め重ね、または左右に色分け並べ、または山形に絡め重ねして１枚づつを取出し自在に箱詰め、または小型に平袋詰めしてポケットティッシュとしたことを特徴とする紅白色分けティッシュ。
【請求項２】
ティッシュペーパーにキャラクター柄または鶴・亀・桜・梅などの慶事柄をプリントする請求項１に記載の紅白色分けティッシュ。
【考案の詳細な説明】
【技術分野】
【０００１】
本考案は紅白に色分けしたティッシュペーパーに関するものである。
【背景技術】
【０００２】
従来、ティッシュペーパーは箱詰め，ポケットティッシュとも白色をしたティッシュペーパーを１枚づつ取出し可能に絡め重ね畳みして収容している。
【特許文献１】なし
【考案の開示】
【考案が解決しようとする課題】
【０００３】
このようにして、従来のティッシュペーパーは、ちり紙としての用途のほかは、宣伝用に手配りされる程度の利用に限定されてきたという課題があった。
【課題を解決するための手段】
【０００４】
本考案は、箱詰め，ポケットティッシュ双方のティッシュペーパーを紅色と白色に色分けして祝事にも使えるようにして、かかる課題を解決したのである。
【考案の効果】
【０００５】
紅白は祝事の色として広く深く親しまれてきており、ティッシュペーパーを紅白に色分けしたことで日本ブームにおける和風のもてなし、和風の作法に重宝し、特にパーティー会場などにおいて引出ものに即興の華を添えるというすぐれた効果を生ずる。
【０００６】
紅白のティッシュペーパーは、住宅展示会、車の展示会・販売店などへの来場記念、新築、改築の祝事に、また長寿、誕生等の慶事にオリジナル制作して配り祝うことができるという効果を生ずる。
【０００７】
紅白のティッシュペーパーに、キャラクター柄、鶴，亀，桜，梅などの慶事柄をプリントすることによって、一層慶祝感を高めることができるという効果を生ずる。
【０００８】
年末、年始の挨拶贈答用として紅白の色分けティッシュを用いることにより、現在一般的に使用されている贈答用のタオルに比較して大幅に贈答経費を抑えることができるという効果を生ずる。
【０００９】
紅白の色分けティッシュは安価によって１年分，半年分入りなどのカートン単位の贈答品としての用途が開けるという効果を生ずる。
【考案を実施するための最良の形態】
【００１０】
本考案は、紅色のティッシュペーパーと白色のティッシュペーパーを交互に絡め重ね、または上下に色分け絡め重ね、または左右に色分け並べ、または山形に絡め重ねして１枚づつを取出し自在に箱詰め、または携帯用のポケットティッシュとして平袋詰めして紅白色分けティッシュを構成して提供するようにしたのである。紅白のティッシュペーパーはさらにキャラクター柄または鶴・亀・桜・梅などの慶事柄をプリントすることもできる。
【実施例１】
【００１１】
図１は第１実施例で、紅色のティッシュペーパー１ａと白色のティッシュペーパー１ｂを１枚づつ（同色２枚１組もある）取出し可能に交互に絡め重ね畳みして一般的な長方体形のボックス２内に収容し箱詰めして構成するようにしたものである。上面の取出口３より色分けした紅白のティッシュペーパー１ａ，１ｂを交互に取出すことができることとなる。通常はちり紙として使用するが祝事色である紅白２枚のティッシュペーパー１ａ，１ｂを取出し合わせすることで簡易な祝い敷にして利用することができる。
【実施例２】
【００１２】
図２は第２実施例で、色分けした紅色と白色のティッシュペーパー１ａ，１ｂを各別に重ねて上半と下半に分けて箱詰めしたものである。重ね順によって白色のティッシュペーパー１ｂの使い終わりに続いて紅色のティッシュペーパー１ａが取出されることとなる。色変わりすることによって残りが半分になったことを認識することができる。また図３に示すようにボックス２の上面の取出口３に加えて下面にも取出口３ａを設けることで、紅白のティッシュペーパー１ａ，１ｂをそれぞれの取出口から取出すことができることとなる。
【実施例３】
【００１３】
図４は第３実施例で、（ａ）は直立方体形をしたボックス２ａ内に上下に色分けした紅白のティッシュペーパー１ａ，１ｂを山形に曲げ重ね箱詰めした例、（ｂ）はボックス２ａ内に紅白交互に重ね畳みしたティッシュペーパー１ａ，１ｂを山形に曲げ重ね収容した例を示すものである。直立方体形をしたボックス２ａは見なれないユニークな形によって人目を引くものとなり、着目を集めることでボックス２ａの周面を広告面として活用することができる。ティッシュペーパー１ａ，１ｂは山形に曲げ重ねていることで取出しやすく、また一般の長方体形の箱用に平面視矩形に重ね畳みしたティッシュペーパーをそのまま利用して直立方体形の箱２ａ内に箱詰めすることもできるものとなる。図５はティッシュを山形に曲げることなく直面形とするもので、紅白のティッシュ１ａ，１ｂは平面視正方形に畳み且つ交互に向き合い絡み重ねして箱詰めした例を示すものである。
【実施例４】
【００１４】
図６は第４実施例で、紅色と白色のティッシュペーパー１ａ，１ｂをそれぞれ１枚づつ取出し可能に絡め重ね畳みして、１つのボックス２内の左右に色分け並べして収容したも例を示すものである。ボックス２の左右の上面に取出口３ｃ，３ｄを各別に設けることで、紅白所望の色のティッシュペーパー１ａ，１ｂを任意に取出すことができるものとなる。
【実施例５】
【００１５】
図７は第５実施例で、ティッシュペーパー１ａ，１ｂを紅白交互に重ね畳みまたは紅白の束を上下に色分けして携帯用の平袋４に詰め入れした例を示すものである。携帯容易によって咄嗟のときに取出して利用することができる。
【実施例６】
【００１６】
図８は台６実施例で、２枚１組とするティッシュペーパーを紅色と白色の組合わせとしたものである。取出した１組にて表裏が紅白となるので、１組だけでも目的に応じて色分け使いすることができることとなる。
【００１７】
以上のように形成した紅白色分けティッシュは、紅色、白色のそれぞれにて、または２色をずらし重ねして紅白のコントラストを際立たせることなどにより、和風のもてなし、和風の作法に重宝し、特に慶事の席に即興の華を添えることができるものとなる。
【実施例７】
【００１８】
図９は第７実施例で、紅白のティッシュペーパー１ａ，１ｂに桜の花柄５をプリントした例を示すものである。紅白の色分けに加えて実施例の桜のほか、梅，鶴，亀などのめでたい柄のプリントが加わることで慶事に一層華を添えて喜ばれるものとなる。キャラクター柄をプリントするときは宣伝効果を高めることができる。
【産業上の利用可能性】
【００１９】
本考案は、祝賀色として親しまれている紅白にてティッシュペーパーを構成したことにより、和風のもてなし、和風の作法、また住宅展示会、車の展示会・販売店などへの来場記念品、新築、改築、長寿、誕生等の祝事に利用することができ、しかも安価によってカートン単位の贈答品、タオルに替えて年末年始の挨拶贈答品として広く利用することができるものとなる。
【図面の簡単な説明】
【００２０】
【図１】第１実施例を示す一部截断した斜視図
【図２】第２実施例を示す一部截断した斜視図
【図３】同、裏面に取出口を追加した例を示す図
【図４】直立法体形のボックス内に紅白のティッシュペーパーを山形に曲げ箱詰めした実施例を示すもので、（ａ）は紅白のティッシュペーパーを上半と下半に色分けした斜視図、（ｂ）は同、紅白のティッシュを交互に重ね畳みした例を示す斜視図
【図５】直立方体形のボックス内に平ら且つ紅白交互にティッシュを絡み重ね畳み詰めした例を示す縦断側面図とその紅白ティッシュの斜視図
【図６】１つのボックス内の左右に紅白のティッシュペーパーを色分け並べした第４実施例を前面を截断してみせる斜視図
【図７】携帯用の平袋に紅白のティッシュペーパーを詰め入れした第５実施例を示す斜視図
【図８】２枚１組とするティッシュペーパーを紅白の組合わせにて形成した第６実施例を示す斜視図
【図９】紅白のティッシュペーパーに桜の花柄をプリントした例を示す正面図
【符号の説明】
【００２１】
１ａは紅色のティッシュペーパー
１ｂは白色のティッシュペーパー
２は一般的に長方体形をしたボックス
２ａは直立方体形をしたボックス
３，３ａ，３ｂ，３ｃは取出口
４は携帯用の平袋
５は桜の花柄
【図１】
0003143842.tif 000003
【図２】
0003143842.tif 000004
【図３】
0003143842.tif 000005
【図４】
0003143842.tif 000006
【図５】
0003143842.tif 000007
【図６】
0003143842.tif 000008
【図７】
0003143842.tif 000009
【図８】
0003143842.tif 000010
【図９】
0003143842.tif 000011